(57)【要約】【課題】  収納部が多少広がっても開閉を行うことができ、かつ容易に組み立てることができる携帯ケースを得る。【解決手段】  携帯ケース１０は、収納部１２と開閉部３０，３２とを含む。収納部１２の側面部１６，１８の上端部と、開閉部３０，３２の開閉側面部３０ａ，３２ａの端部の折曲げ片４０，５４とを重ね合わせ、クリップ４２，５６で挟み込むことにより固定する。クリップ４２，５６の内側において、側面部１６，１８および折曲げ片４０，５４の面からクリップ４２，５６側に向かって突出する突起部４４，５８を形成することにより、クリップ４２，５６が外れることを防止する。【選択図】    図３
2006006796.tif 000002
【特許請求の範囲】
【請求項１】
底面部と、前記底面部の一方面側において前記底面部を囲むように配置される側面部とで箱状に形成される収納部、および
前記収納部上において、連動して開閉する２つの開閉部を含み、
２つの前記開閉部の前記収納部側端部が折り曲げられて折曲げ片が形成され、前記側面部と前記折曲げ片とを重ね合わせた状態でクリップで挟み込むことにより前記側面部と前記折曲げ片とが固定され、かつ前記クリップで挟み込まれた内側部分において前記側面部および前記折曲げ片の壁面に突起部が形成された、携帯ケース。
【請求項２】
底面部と、前記底面部の一方面側において前記底面部を囲むように配置される側面部とで箱状に形成される収納部、および
前記収納部上において、連動して開閉する２つの開閉部を含み、
前記側面部とそれぞれの前記開閉部とが２つの折曲げ部の間に形成された折曲げ片を介して一体的に形成された、携帯ケース。
【発明の詳細な説明】
【技術分野】
【０００１】
この発明は、携帯ケースに関し、特にたとえば、２つの開閉部が連動して開閉する携帯ケースに関する。
【背景技術】
【０００２】
図６は、２つの開閉部を連動して開閉することができる携帯ケースの一例を示す斜視図である。携帯ケース１は、箱状の収納部２を含む。収納部２上には、連動して開閉することができる２つの開閉部３ａ，３ｂが形成される。この携帯ケース１は、合成樹脂などで形成される。この携帯ケース１においては、収納部２と開閉部３ａ，３ｂとの間に折り目が形成され、この折り目で折り曲げられることにより開閉部３ａ，３ｂが開閉される。
【０００３】
ところが、このような携帯ケース１では、内部に収納される書類などが多い場合、図７に示すように、収納部２の中央部が広がって、折り目部分が外側に向かって湾曲し、開閉部３ａ，３ｂが開きにくくなる場合がある。そこで、図８および図９に示すように、収納部２と開閉部３ａ，３ｂとの間にスリット４を形成し、このスリット４に柔軟な材料で形成された屈曲部材５を嵌め込んだ携帯ケース６が考えられた。屈曲部材５においては、図１０に示すように、たとえば対向部にクリップ部５ａが形成され、クリップ部５ａが収納部２および開閉部３ａ，３ｂの端部に嵌め込まれた上、溶着などによって固着される。このような携帯ケース６では、収納部２の中央部が広がっても、スリット４において屈曲部材５が屈曲し、開閉部３ａ，３ｂ側が湾曲しにくいため、開閉部３ａ，３ｂの開閉が容易である（例えば、特許文献１参照）。
【０００４】
【特許文献１】特開２００２−３００９１２号公報
【発明の開示】
【発明が解決しようとする課題】
【０００５】
しかしながら、このような携帯ケースでは、スリットに屈曲部材を嵌め込むときに、屈曲部材の両側のクリップ部を収納部側および開閉部側に嵌める必要があり、組み立てが困難である。また、クリップ部と収納部およびクリップ部と開閉部とを溶着するために、溶着装置が必要となり、製造のための設備が大掛かりとなる。
【０００６】
それゆえに、この発明の主たる目的は、収納部が多少広がっても開閉を行うことができ、かつ容易に組み立てることができる携帯ケースを提供することである。
【課題を解決するための手段】
【０００７】
この発明は、底面部と、底面部の一方面側において底面部を囲むように配置される側面部とで箱状に形成される収納部、および収納部上において、連動して開閉する２つの開閉部を含み、２つの開閉部の収納部側端部が折り曲げられて折曲げ片が形成され、側面部と折曲げ片とを重ね合わせた状態でクリップで挟み込むことにより側面部と折曲げ片とが固定され、かつクリップで挟み込まれた内側部分において側面部および折曲げ片の壁面に突起部が形成された、携帯ケースである。
開閉部の収納部側端部を折り曲げて折曲げ片を形成し、折曲げ片と側面部とを重ね合わせた状態で固定することにより、開閉部と折曲げ片との間の折曲げ部が側面部に隣接した位置に配置される。そのため、収納部の中央部が広がっても、開閉部と折曲げ片との間の折曲げ部が湾曲する側面部に押されて、折曲げ部の両端が持ち上げられ、折曲げ部が直線状に保たれる。したがって、収納部に収納されるものが多くなっても、折曲げ部において、開閉部を容易に開閉することができる。さらに、クリップで挟み込まれた内側部分において、側面部および折曲げ片の壁面に突起部を形成することにより、クリップが突起部に引っかかって外れにくくなる。そのため、側面部や折曲げ片とクリップとを溶着する必要がなく、大掛かりな製造設備を導入する必要がない。
【０００８】
また、この発明は、底面部と、底面部の一方面側において底面部を囲むように配置される側面部とで箱状に形成される収納部、および収納部上において、連動して開閉する２つの開閉部を含み、側面部とそれぞれの開閉部とが２つの折曲げ部の間に形成された折曲げ片を介して一体的に形成された、携帯ケースである。
側面部とそれぞれの開閉部とが２つの折曲げ部の間の折曲げ片を介して一体的に形成される構造であるため、別々の部材をクリップなどで固定する必要がない。そのため、携帯ケースの組み立てが容易であり、溶着のための装置も導入する必要がない。しかも、２つの折曲げ部の間の折曲げ片を介して、側面部と開閉部とが連結されているため、収納部が広がっても、ヒンジとなる開閉部側の折曲げ部を直線状に保つことができ、開閉部の開閉を容易に行うことができる。
【発明の効果】
【０００９】
この発明によれば、収納部に収納されるものの量が多くなって側面部が広がっても、開閉部の開閉を行うことができる。しかも、クリップで収納部と開閉部の折曲げ片とを固定したり、材料を折り曲げたりすることにより、収納部と開閉部とを連結することができ、容易に携帯ケースを組み立てることができる。さらに、携帯ケースを組み立てるときに、溶着などを行う必要がなく、大掛かりな装置を導入する必要がない。
【００１０】
この発明の上述の目的，その他の目的，特徴および利点は、図面を参照して行う以下の発明を実施するための最良の形態の説明から一層明らかとなろう。
【発明を実施するための最良の形態】
【００１１】
図１はこの発明の携帯ケースの一例を示す斜視図であり、図２は携帯ケースを開いた状態を示す斜視図である。携帯ケース１０は、箱状の収納部１２を含む。収納部１２は、長方形状の底面部１４を含む。底面部１４の一方面側において、対向する長辺部分に直立するように、側面部１６，１８が形成される。さらに、底面部１４の一方面側において、対向する短辺部分に直立するように、別の側面部２０，２２が形成される。したがって、底面部１４の一方面側が、側面部１６，１８，２０，２２で取り囲まれて、箱状の収納部１２が形成されている。
【００１２】
収納部１２は、たとえば合成樹脂などで形成された板材を折り曲げることによって形成される。底面部１４の短辺部分に形成された側面部２０，２２は、長辺部分に形成された一方の側面部１６から折り曲げられた内側の内面壁２０ａ，２２ａと、他方の側面部１８から折り曲げられた外側の外面壁２０ｂ，２２ｂとが重ね合わされて形成されている。ここで、側面部２０，２２の上端において、外面壁２０ｂ，２２ｂは内面壁２０ａ，２２ａより低く形成されている。したがって、側面部２０，２２の上端側において、外面壁２０ｂ，２２ｂ上に内面壁２０ａ，２２ａが露出した構成となっている。
【００１３】
また、外面壁２０ｂ，２２ｂには、爪部２０ｃ，２２ｃが形成され、この爪部２０ｃ，２２ｃが内面壁２０ａ，２２ａに形成されたスリットに嵌め込まれる。このように、爪部２０ｃ，２２ｃがスリットに嵌め込まれることによって、収納部１２の形状が固定される。さらに、底面部１４の端部には折り返し部１４ａが形成され、側面部２０，２２側に向かって折り返されている。
【００１４】
側面部２０，２２上端側における内面壁２０ａ，２２ａ露出部には、曲線状のスリット２４が形成される。スリット２４は、たとえば側面部１６側が低く、側面部１８側が高くなるように形成され、かつ収納部１２の開口部側に向かって膨らむような曲線状に形成される。そして、スリット２４の低い側の端部が、側面部２０，２２の幅方向のほぼ中央部に位置するように配置される。
【００１５】
収納部１２上には、２つの開閉部３０，３２が配置される。一方の開閉部３０は、収納部１２の長辺部分に形成された一方の側面部１６側に配置され、他方の開閉部３２は、収納部１２の長辺部分に形成された他方の側面部１８側に配置される。一方の開閉部３０は、収納部１２の側面部１６に沿って配置される開閉側面部３０ａを含む。また、収納部１２の反対側において、開閉側面部３０ａの端部から別の開閉部３２側に向かって、開閉天面部３０ｂが形成される。開閉天面部３０ｂは、収納部１２の側面部２０，２２の幅より短い幅となるように形成される。
【００１６】
さらに、収納部１２および開閉天面部３０ｂの間において、開閉側面部３０ａの両端部から他方の開閉部３２に向かって、開閉端面部３０ｃが形成される。開閉端面部３０ｃの収納部１２側の幅は、収納部１２の側面部２０，２２の幅とほぼ同じ幅となるように形成される。また、開閉端面部３０ｃの開閉天面部３０ｂ側の幅は、開閉天面部３０ｂとほぼ同じ幅となるように形成される。開閉端面部３０ｃには、曲線状のスリット３４が形成される。スリット３４は、開閉天面部３０ｂ側に向かって膨らむような曲線状に形成され、収納部１２の側面部２０，２２に形成されたスリット２４と交差するように配置される。
【００１７】
この開閉部３０では、たとえば板状の合成樹脂材料を折り曲げることにより、開閉側面部３０ａ、開閉天面部３０ｂ、開閉端面部３０ｃが形成される。さらに、開閉天面部３０ｂは、断面Ｕ字状の長い補強部材３６で挟み込まれて補強される。このとき、開閉端面部３０ｃから開閉天面部３０ｂ側に折り返された折り返し片を開閉天面部３０ｂとともに補強部材３６で挟むことにより、開閉部３０の形状が固定される。さらに、開閉側面部３０ａには、開閉部３０，３２が閉じた状態を保つための留め具３８が取り付けられる。
【００１８】
また、図３に示すように、収納部１２側において、開閉側面部３０ａの端部が内側に折り曲げられて折曲げ片４０が形成され、収納部１２の側面部１６の上端部に重ね合わされる。そして、側面部１６および折曲げ片４０の両方を挟み込むようにして、断面Ｕ字状の長尺のクリップ４２が取り付けられる。クリップ４２で挟み込まれることにより、側面部１６と折曲げ片４０とが固定され、収納部１２と開閉部３０とが連結される。
【００１９】
クリップ４２の内側において、側面部１６および折曲げ片４０に、突起部４４が形成される。突起部４４は、側面部１６および折曲げ片４０の面からクリップ４２側に向かって突出するように形成される。このような突起部４４としては、たとえば側面部１６および折曲げ片４０にＵ字状の切れ目を形成し、この部分を起こすことによって形成することができる。このとき、折曲げ片４０の面上において折れ目側に向かって屈曲するＵ字状の切れ目が形成され、また側面部１６の面上において底面部１４側に向かって屈曲するＵ字状の切れ目が形成される。したがって、クリップ４２を嵌めるときに、突起部４４が邪魔にならず、クリップ４２が側面部１６および折曲げ片４０から外れようとするときに、突起部４４が抵抗体となってクリップ４２の脱落が防止される。なお、突起部４４を形成するために、側面部１６および折曲げ片４０にステープルなどを取り付けてもよい。
【００２０】
また、他方の開閉部３２は、開閉部３０と同様に、開閉側面部３２ａ、開閉天面部３２ｂ、開閉端面部３２ｃを含み、これらが一体的に形成されている。そして、開閉天面部３２ｂには、断面Ｕ字状の補強部材４６が嵌められ、開閉部３２が補強される。さらに、開閉端面部３２ｃから開閉天面部３２ｂ側に折り返された折り返し片を開閉天面部３２ｂとともに補強部材４６で挟むことにより、開閉部３２の形状が固定される。この開閉部３２は、他方の開閉部３０より一回り大きく形成され、開閉部３０，３２が閉じたときに、開閉部３０の外側に開閉部３２が配置される。なお、補強部材４６の内側には、長手方向に沿って下方に突出するストッパ４６ａが形成され、開閉部３０，３２が閉じたときに、開閉部３０側の補強部材３６が係止される。これにより、開閉部３０，３２が閉じたときの形状が決定される。
【００２１】
補強部材４６の中央部には、携帯ケース１０を持ち運ぶための取っ手４８が形成される。さらに、補強部材４６には、ベルト５０が取り付けられ、ベルト５０の先端には、留め具３８に固定される固定具５２が取り付けられる。したがって、開閉部３０，３２を閉じた状態で、ベルト５０を開閉部３０側に回し、固定具５２を留め具３８に固定することにより、開閉部３０，３２が閉じた状態を維持することができる。
【００２２】
開閉部３２も、開閉部３０と同様に、折曲げ片５４が形成され、この折曲げ片５４が側面部１８の上端部に重ね合わされて、クリップ５６により固定される。そして、クリップ５６の内側において、側面部１８および折曲げ片５４に突起部５８が形成されることにより、クリップ５６が外れにくくなっている。
【００２３】
さらに、開閉端面部３２ｃには、リベット６０が取り付けられる。リベット６０は、収納部１２を構成する内面壁２０ａ，２２ａに形成されたスリット２４および開閉部３０の開閉端面部３０ｃに形成されたスリット３４を通して、開閉端面部３２ｃに固定される。ここで、２つのスリット２４，３４は、互いに交差しているため、開閉部３０，３２の一方を開けば他方も開き、開閉部３０，３２の一方を閉じれば他方も閉じる。このように、リベット６０によって収納部１２の内面壁２０ａ，２２ａおよび開閉端面部３０ｃ，３２ｃを連結することにより、２つの開閉部３０，３２は、互いに連動して開閉する。
【００２４】
この携帯ケース１０では、収納部１２に書類などを入れて持ち運ぶことができる。このとき、書類などの量が多く、図４に示すように、収納部１２の側面部１６，１８の中央部が外側に広がった場合においても、開閉側面部３０ａ，３２ａと折曲げ片４０，５４との間の折曲げ部は、側面部１６，１８に隣接する位置にあるため、折曲げ部の中央部が側面部１６，１８に押されて両端部が持ち上げられる。そのため、収納部１２に収納されるものの量が多くなっても、折曲げ部は直線状に保たれ、開閉部３０，３２を容易に開閉することができる。さらに、開閉側面部３０ａ，３２ａと折曲げ片４０，５４との間の折曲げ部にバネ性があるため、開閉部３０，３２を開くときに、自動的に開くような力が加わる。そのため、開閉部３０，３２を容易に開くことができる。
【００２５】
また、この携帯ケース１０では、収納部１２の側面部１６，１８と開閉部３０，３２の折曲げ片４０，５４とを重ね合わせ、その部分にクリップ４２，５６を嵌めるだけで組み立てることができる。また、側面部１６，１８および折曲げ片４０，５４に突起部４４，５８を形成することにより、クリップ４２，５６が外れることを防止することができ、溶着などの必要がない。そのため、溶着装置などのような大掛かりな装置を導入する必要がなく、容易に携帯ケース１０を製造することができる。
【００２６】
なお、クリップを用いて収納部１２と開閉部３０，３２とを連結する代わりに、図５に示すように、側面部１６，１８と折曲げ片４０，５４とを連続して形成してもよい。この場合、収納部１２と開閉部３０，３２との間で板状材料が２回折り曲げられることにより、収納部１２と開閉部３０，３２とが折曲げ片４０，５４を介して一体的に形成される。このような携帯ケース１０においても、側面部１６，１８が広がったときに、開閉部３０，３２側の折曲げ部を直線状に保つことができ、開閉部３０，３２の開閉を行うことができる。さらに、収納部１２と開閉部３０，３２との連結のために、クリップなどを用いる必要がなく、溶着装置の導入も不要である。そのため、携帯ケース１０の製造を容易に行うことができる。なお、側面部１６，１８と折曲げ片４０，５４とが広がることを防止するためにクリップを用いてもよいが、この場合、側面部１６，１８や折曲げ部４０，５４に突起部を形成する必要はない。
【図面の簡単な説明】
【００２７】
【図１】この発明の携帯ケースの一例を示す斜視図である。
【図２】図１に示す携帯ケースを開いた状態を示す斜視図である。
【図３】図１に示す携帯ケースの断面図である。
【図４】図１に示す携帯ケースが膨らんだときの様子を底面部側からみた平面図である。
【図５】側面部と開閉部と折曲げ片との関係の他の例を示す図解図である。
【図６】２つの開閉部を連動して開閉することができる携帯ケースの一例を示す斜視図である。
【図７】図６に示す携帯ケースが膨らんだ状態を示す図解図である。
【図８】図６に示す携帯ケースの問題点を解決するための従来の携帯ケースを示す斜視図である。
【図９】図８に示す携帯ケースが開いた状態を示す斜視図である。
【図１０】図８に示す携帯ケースの収納部と開閉部との間の構造を示す図解図である。
【符号の説明】
【００２８】
１０  携帯ケース
１２  収納部
１４  底面部
１６，１８，２０，２２ 側面部
２４  スリット
３０，３２ 開閉部
３４  スリット
４０  折曲げ片
４２  クリップ
４４  突起部
５４  折曲げ片
５６  クリップ
５８  突起部
６０  リベット
【図１】
2006006796.tif 000003
【図２】
2006006796.tif 000004
【図３】
2006006796.tif 000005
【図４】
2006006796.tif 000006
【図５】
2006006796.tif 000007
【図６】
2006006796.tif 000008
【図７】
2006006796.tif 000009
【図８】
2006006796.tif 000010
【図９】
2006006796.tif 000011
【図１０】
2006006796.tif 000012